(57)【特許請求の範囲】
【請求項１】
開口部の室外側に配置されるロールスクリーン４を格納し、躯体に室外側から固定されるボックス５であり、躯体に直接固定され、被係合部２３を有する固定部と、固定部の下に連続し、サッシ枠７の上枠７１に突き当たる水切り部２２の二部分からなる水切り材２と、水切り材２の前記被係合部２３に係合して水切り材２に支持される本体枠３から構成され、水切り材２はボックス５の長さ方向に連続しており、水切り材２と上枠７１との間の水密性を確保するため両者間に水密材９が配置されており、本体枠３の上部の躯体側に、躯体に接続可能で、破断可能な取付片３３が形成されているロールスクリーンボックス。
【発明の詳細な説明】
【０００１】
【発明の属する技術分野】
この発明は開口部の室外側に配置されるロールスクリーンを格納するロールスクリーンボックスに関するものである。
【０００２】
【従来の技術及び発明が解決しようとする課題】
窓における日射を遮るロールスクリーンは通常、特開平９-78961号のように開口部の室内側に配置されるが、室内においてロールスクリーンが受けた日射による輻射熱があることから、冷房効率を上げる上では開口部の室外側に配置される方がよい。
【０００３】
ロールスクリーンを室外に配置する場合、ロールスクリーンを格納するボックスはシャッターケーシングと同様の要領で、特開平９-60450号のように躯体に固定されているブラケットに対して下向きに係合することにより躯体に取り付けられることになるが、ロールスクリーンは軽量であるため、ブラケット、あるいは躯体から抜け止めされることが必要になる。さらに前記ボックスと室外側躯体との間の水密性を確保する必要がある。
【０００４】
ボックス上に庇が設置される場合には、庇が重なることでボックスのブラケットや躯体からの抜け出しが防止されるが、その場合、ボックスは庇の設置を阻害しないことが必要になる。
【０００５】
この発明はロールスクリーンを室外側に配置する場合に、躯体との間の水密性を確保するとともに躯体からの抜け出しを生ぜず、庇の併用が可能なボックスを提案するものである。
【０００６】
この発明ではサッシ枠上の躯体に固定される水切り材と、水切り材に係合して水切り材に支持される本体枠からボックスを構成し、本体枠の上部の躯体側に、躯体に接続可能で、破断可能な取付片を形成することにより、ボックスが単独で躯体に固定される場合に、本体枠の、水切り材からの抜け出しを防止しながら、庇との併用を可能にする。
【０００７】
水切り材は躯体に直接固定され、被係合部を有する固定部と、固定部の下に連続し、サッシ枠の上枠に突き当たる水切り部の二部分からなり、水切り部の下端がサッシ枠の上枠に突き当たることにより、ボックスの高さ方向の位置決めをし、サッシ枠に対するボックスの位置を一定にする役目を持つ。
【０００８】
水切り材は、ボックスの長さ方向に連続する場合には、本体枠との間から浸入した雨水を排除し、サッシ上枠との間への雨水の浸入を阻止する役目も持つ。さらに水切り材と上枠との間の水密性を確保するため両者間に水密材が配置されている。
【０００９】
ボックスの本体枠は躯体に固定される水切り材に係合することで水切り材に支持され、ボックスが単独で躯体に固定される場合、すなわち庇が併用されない場合の水切り材からの抜け出しに対しては、取付片において躯体に接続されることで防止される。
【００１０】
取付片はボックスの上に庇が設置される場合に破断され、破断によって本体枠と庇との干渉がなくなり、庇の併用が可能になる。この場合、本体枠はその上に重なる庇によって上向きの移動を拘束されることで水切り材からの抜け出しが防止される。
【００１１】
【発明の実施の形態】
この発明は図１に示すように躯体１に固定される水切り材２と、水切り材２に係合して支持される本体枠３から構成され、開口部の室外側に配置されるロールスクリーン４を格納するボックス５である。
【００１２】
水切り材２は躯体１に直接固定される固定部21と、固定部21の下に連続する水切り部22の二部分からなり、ボックス５の長さ方向に連続する。水切り材２は、水切り部22の下端が先行してまぐさ８に固定されているサッシ枠７の上枠71に突き当たり、サッシ枠７に対して位置決めされた状態で固定部21を貫通するねじ６によって躯体１に固定される。
【００１３】
水切り材２はまた、ボックス５の長さ方向に連続し、水切り部22の下端が上枠71に突き当たることで、本体枠３との間から浸入した雨水を排除すると共に、上枠71との間への雨水の浸入を阻止する。上枠71との間から雨水の浸入があった場合の、水切り材２と上枠71との間の水密性を確保するために、両者間には水密材９が配置される。
【００１４】
固定部21には本体枠３を受け、支持する、上方が開放した形の被係合部23が縦断面上、一箇所、もしくは複数箇所形成される。
【００１５】
本体枠３の室内側の、水切り材２の被係合部23に対応した位置には被係合部23に下向きに係合する係合部32が形成され、本体枠３は係合部32が水切り材３の被係合部23に下方と室外側へ係合することで、躯体１に突き当たった形で水切り材２に支持される。
【００１６】
本体枠３の上部の躯体１側には、本体枠３が水切り材２に支持されたときに躯体１に接触する取付片33が形成される。取付片33は図１に示すように、ボックス５上に庇10が設置されない場合に取付片33を貫通するねじ６によって躯体１に接続され、本体枠３の水切り材２からの抜け出しを防止する。ボックス５上に庇10が設置される場合には庇10と干渉させないために、図３，図４に示すように取付片33は破断される。取付片33の根元には破断が容易に行えるよう、溝が形成されている。
【００１７】
また図３，図４に破線や鎖線で示すように本体枠３上に外壁材11が位置する場合に、外壁材11が本体枠３の抜け出しを拘束する程度の厚さを持ち、本体枠３に突き当たって設置されるときには取付片33は破断され、そうでないときには残される。
【００１８】
本体枠３はロールスクリーン４のメインテナンスの便宜より、室内側に位置する本体部30と、室外側に位置するカバー部31とに分離自在になっており、ロールスクリーン４は本体部30とカバー部31間を昇降する。係合部32と取付片33は本体部30に形成される。
【００１９】
図３，図４はボックス５上に庇10を設置した場合を示す。図３，図４において、実線のサッシ枠７は開口部に対して外付けされる場合を、鎖線のサッシ枠７は半外付けされる場合を示すが、水切り材２の下端はサッシ枠７の開口部への取付位置に関係なく上枠71に突き当たり、ボックス５はサッシ枠７に対して常に一定の位置に設置される。
【００２０】
図３と図４のいずれの場合も本体枠３の取付片33は破断され、庇10は本体枠３上に重なって設置され、躯体１に固定されることで本体枠３の抜け出しを防止する。
【００２１】
図４は特にサッシ枠７に雨戸枠72が一体化した場合のボックス５の躯体１への取付状態を示す。この場合、サッシ枠７の見込み幅が雨戸枠72分だけ大きくなるため、水切り材２と本体枠３間に、雨戸枠72の見込み幅に相当する見込み幅のアタッチメント12が配置される。
【００２２】
アタッチメント12は本体枠３の荷重を負担し、水切り材２に伝達しながら、水切り材２と本体枠３間の間隔を保持するよう、箱形の断面形状をし、水切り材２側に形成された係合部13が水切り材２の被係合部23に係合することで水切り材２に支持され、本体枠３側に形成された被係合部14が本体枠３の係合部32を受けることで本体枠３を支持する。
【００２３】
図４ではアタッチメント12の本体枠３側の上方に形成された被係合部14で本体枠３の係合部32を受け、下方位置で本体枠３に重なり、両者を貫通するねじ６で本体枠３に接続されることにより本体枠３を支持している。
【００２４】
ロールスクリーン４は室外に配置されることから、その使用状態では、ばたつきを防止するために、下端に接続されている昇降操作用のフック41が下枠に引っ掛けられる、あるいは両端のピン42が縦枠に係止させられる。
【００２５】
【発明の効果】
サッシ枠上の躯体に固定される水切り材と、水切り材に係合して支持される本体枠からボックスを構成し、本体枠の上部に、躯体に接続可能で、破断可能な取付片を形成するため、ボックスが単独で躯体に固定される場合には取付片を躯体に接続することで水切り材からの本体枠の抜け出しを防止でき、破断することで庇との併用が可能になる。
【００２６】
また水切り材の水切り部の下端がサッシ枠の上枠に突き当たるため、ボックスの位置決めが容易に行え、サッシ枠に対するボックスの位置を一定にすることができる。
【００２７】
また水切り材がボックスの長さ方向に連続するため、本体枠との間から浸入した雨水を排除し、サッシ枠の上枠との間への雨水の浸入を阻止することができる。
【図面の簡単な説明】
【図１】ボックスの躯体への取付状態を示した縦断面図である。
【図２】ボックスとロールスクリーンを示した立面図である。
【図３】ボックス上に庇が設置される場合の取付状態を示した縦断面図である。
【図４】ボックス上に庇が設置され、サッシ枠に雨戸枠が一体化した場合の取付状態を示した縦断面図である。
【符号の説明】
１……躯体、２……水切り材、21……固定部、22……水切り部、23……被係合部、３……本体枠、30……本体部、31……カバー部、32……係合部、33……取付片、４……ロールスクリーン、41……フック、42……ピン、５……ボックス、６……ねじ、７……サッシ枠、71……上枠、72……雨戸枠、８……まぐさ、９……水密材、10……庇、11……外壁材、12……アタッチメント、13……係合部、14……被係合部。
【図１】
0003652880.tif 000002
【図２】
0003652880.tif 000003
【図３】
0003652880.tif 000004
【図４】
0003652880.tif 000005